(57)【要約】      （修正有）【課題】簡単にテープ幅を設定して切断するだけでなく、残されたテープも廃棄することなく利用することを提供する。【解決手段】テープ幅を一定に分割して切断するものであって、テープ２１を保持し、自在に回動される支持軸が形成されているテープリールと、テープリールの支持軸が保持されている保持部を有し、一端部がテープ長さを切断するための刃部１１が形成されている基台１０と、テープ２１の幅方向を切断させるためのテープ幅用刃部と、テープ幅用刃部をテープ２１の幅方向に移動させるためのスライド手段とを備える。【選択図】図１
2015209280.tif 000002
【特許請求の範囲】
【請求項１】
テープを保持し、自在に回動される支持軸が形成されているテープリールと、
前記テープリールの支持軸が保持されている保持部を有し、一端部がテープ長さを切断するための刃部が形成されている基台と、
前記テープの幅方向を切断させるためのテープ幅用刃部と、
前記テープ幅用刃部を前記テープの幅方向に移動させるためのスライド手段と、
を備えることを特徴とするテープカッタ。
【請求項２】
テープを保持し、自在に回動される支持軸が形成されているテープリールと、
前記テープリールの支持軸が保持されている保持部を有し、一端部がテープ長さを切断するための刃部が形成されている基台と、
前記テープの幅方向を切断させるためのテープ幅用刃部と、
前記テープ幅用刃部を前記テープの幅方向に移動させるためのスライド手段と、
前記テープ幅用刃部を前記テープの外周に接触させるための押圧手段と、
を備えることを特徴とするテープカッタ。
【請求項３】
前記テープ幅用刃部は、円形刃である、
ことを特徴とする請求項１〜２に記載のテープカッタ。
【請求項４】
前記スライド手段は、
両端が前記基台に保持されている送り軸と、
一端部が前記テープ幅用刃部を案内されるための案内部と、他端部が前記送り軸を摺動されるための穴部から形成されている送り部材と、
を備えることを特徴とする請求項１〜３のいずれか１項に記載のテープカッタ。
【請求項５】
前記送り軸と前記穴部は、ねじである、
ことを特徴とする請求項１〜４のいずれか１項に記載のテープカッタ。
【請求項６】
前記押圧手段は、
弾性部材と、
前記弾性部材の一端を保持されるため、前記テープリールの支持軸の両端に形成されている係合部と、
前記弾性部材の他端を保持されるため、前記基台に形成された係合部と、
を備えることを特徴とする請求項２〜５のいずれか１項に記載のテープカッタ。
【請求項７】
前記弾性部材は、ゴムバンドである、
ことを特徴とする請求項２〜６のいずれか１項に記載のテープカッタ。
【発明の詳細な説明】
【技術分野】
【０００１】
本発明は、テープカッタに係わり、特にテープ幅を一定に分割して切断可能なテープカッタに関する。
【背景技術】
【０００２】
基台にテープリールを保持するなど多数の種類によるテープカッタが知られている。また、テープ長さを定寸にする、指定したテープ長さに切断するなどテープ長さに対するテープカッタの機能は多く存在する。ところで、使用者が規格品以外のテープ幅で使用したい時、最初に必要なテープ長さに切断した後にはさみ等を使用して必要なテープ幅に切断しているのが一般的である。このため、切断方法によって一定のテープ幅にならない、必要なテープ幅にするためケガキ線を引いてから切断する等の不具合が生じている。
【０００３】
従来、この種のテープカッタとして、テープ長さを一定の長さに切断するものとして、特許文献１に開示されたものがある。特許文献１は、テープを基台に保持されたテープリールにセットし、変形ローラを利用してテープ長さを一定の長さに切断することができるテープカッタである。
【０００４】
また、ベルトスリーブ幅を切断するものとして、特許文献２に開示されたものがある。特許文献２は、装置にベルトスリーブをセットして画像処理やモーター等を利用してベルトスリーブ幅を切断させることができる切断装置である。
【先行技術文献】
【特許文献】
【０００５】
【特許文献１】実開  平１−１７２５５３号公報
【特許文献２】特開  ２００７−９０４９５号公報
【発明の概要】
【発明が解決しようとする課題】
【０００６】
しかしながら、特許文献１はテープ長さを一定に切断するテープカッタであり、テープ幅を切断するテープカッタでないという問題がある。特許文献２は、テープではないベルトスリーブの幅を切断する装置であるが、装置が大型で撮像して画像処理したり、モーターによって制御したりするため操作等が煩雑であるという問題がある。
【０００７】
そこで、本発明は簡単にテープ幅を設定して切断するだけでなく、残されたテープも廃棄することなく利用することができるテープカッタを提供することを目的とする。
【課題を解決するための手段】
【０００８】
上記目的を達成するために、本発明に係るテープカッタは、テープを保持し自在に回動される支持軸が形成されているテープリールと、前記テープリールの支持軸が保持されている保持部を有し、一端部がテープ長さを切断するための刃部が形成されている基台と、前記テープの幅方向を切断させるためのテープ幅用刃部と、前記テープ幅用刃部を前記テープの幅方向に移動させるためのスライド手段と、を備えることを特徴とする。
【０００９】
これによって、テープは容易に必要なテープ幅に切断することができる。
【００１０】
ここで、テープを保持し自在に回動される支持軸が形成されているテープリールと、前記テープリールの支持軸が保持されている保持部を有し、一端部がテープ長さを切断するための刃部が形成されている基台と、前記テープの幅方向を切断させるためのテープ幅用刃部と、前記テープ幅用刃部を前記テープの幅方向に移動させるためのスライド手段と、前記テープ幅用刃部を前記テープの外周に接触させるための押圧手段と、を備えることとするのが好ましい。
【００１１】
これによって、テープ幅用刃部は常に一定の圧力でテープに押し付けられるので、安定してテープ幅を切断することができる、という効果が発揮される。
【００１２】
前記テープ幅用刃部は、円形刃である、ことを特徴とする請求項１〜２に記載のテープカッタ、としてもよい。
【００１３】
これによって、テープ幅用刃部は周回するため切断に対する抵抗が少なく、テープ幅に対して位置決めしやすい、という効果が発揮される。
【００１４】
前記スライド手段は、両端が前記基台に保持されている送り軸と、一端部が前記テープ幅用刃部を案内されるための案内部と、他端部が前記送り軸を摺動されるための穴部から形成されている送り部材と、を備えることを特徴とする請求項１〜３のいずれか１項に記載のテープカッタ、とするのが好ましい。
【００１５】
これによって、テープ幅を容易に設定することができる。
【００１６】
前記送り軸と前記穴部は、ねじである、ことを特徴とする請求項１〜４のいずれか１項に記載のテープカッタ、とするのが好ましい。
【００１７】
これによって、テープ幅をミリメートル単位で設定することができる。
【００１８】
前記押圧手段は、弾性部材と、前記弾性部材の一端を保持されるため、前記テープリールの支持軸の両端に形成されている係合部と、前記弾性部材の他端を保持されるため、前記基台に形成された係合部と、を備えることを特徴とする請求項２〜５のいずれか１項に記載のテープカッタ、とするのが好ましい。
【００１９】
これによって、テープ幅用刃部は容易に一定の圧力でテープに押し付けられるので、安定してテープ幅を切断することができる。
【００２０】
前記弾性部材は、ゴムバンドである、ことを特徴とする請求項２〜６のいずれか１項に記載のテープカッタ、とするのが好ましい。
【００２１】
これによって、安価で簡単な構造にすることができる。
【発明の効果】
【００２２】
以上の説明から明らかなように、本発明に係るテープカッタは、簡単にテープ幅を設定して切断するだけでなく、残されたテープも廃棄することなく利用することができる、という効果が得られる。
【図面の簡単な説明】
【００２３】
【図１】本発明の実施形態に係るテープカッタの斜視図
【図２】本発明の実施形態に係るテープカッタの正面図
【図３】本発明の実施形態に係るテープカッタの右側面図
【図４】本発明の実施形態に係るテープカッタの平面図
【図５】本発明の実施形態に係るテープカッタの右側断面図
【図６】本発明の実施形態に係るテープカッタの使用例を示す説明図
【図７】本発明の実施形態に係るテープカッタの送り軸の使用例を示す説明図
【図８】本発明の実施形態に係るテープカッタの送り部材の使用例を示す説明図
【発明を実施するための形態】
【００２４】
以下に、本発明の実施形態について、図面を参照しながら説明する。図１は本発明の実施形態に係るテープカッタの斜視図を示す。
【００２５】
テープカッタは、テープ幅を一定に分割して切断するものであって、テープ２１を保持し、自在に回動される支持軸が形成されているテープリール２０と、テープリール２０の支持軸が保持されている保持部を有し、一端部がテープ長さを切断するための刃部１１が形成されている基台１０と、テープ２１の幅方向を切断させるためのテープ幅用刃部３０と、テープ幅用刃部３０をテープ２１の幅方向に移動させるためのスライド手段４０とを備える。
【００２６】
基台１０は、テープカッタの基盤になるものであり、テープリール２０を保持するのが目的である。また、一端部に刃部１１を形成することによってテープ長さの切断を容易にすることができる。
【００２７】
形状はテープリール２０を保持することができる、テープ２０を手で採ることができる空間が形成されていることが望ましい。材質は剛性があり軽量であるプラスチックや樹脂等が適しているが、鉄鋼やアルミニウム、木材等でも良い。また、プラスチック等で透明な色を使用してデザイン等を重視しても良い。
【００２８】
テープリール２０は、テープ２１を保持して回動することによってテープが引き出されることを目的としている。形状はテープ２１の内輪に容易に付け外しできることが望ましい（図５参照）。材質は剛性があって軽量であることが望ましい。
【００２９】
テープ幅用刃部３０は、テープ幅を切断することを目的としている。テープ幅用刃部軸３１は、両端が基台１０に保持されており、テープ幅用刃部３０を回動できるように保持している。よって、本発明はテープ幅用刃部３０に円形刃を使用しているが標準的な片刃を使用しても良い。また、テープ幅用刃部軸３１を廃止して後述する送り部材４２に組み込んでも良い。
【００３０】
スライド手段４０はテープ幅用刃部３０をテープ幅に対して垂直に移動させて、必要なテープ幅を決めることを目的としている。本発明は送り軸４１におねじ６１が形成されており（図７参照）送り部材４２にめねじ６２が形成されている（図８参照）。これによってハンドル４３を回動することによって、送り軸４１が回動して送り部材４２がテープ幅に対して垂直に移動する。したがって、スライド手段４０の機構はねじに限るものではない。
【００３１】
送り部材４２は、テープ幅用刃部３０を案内することを目的としている。送り部材４２の案内穴６３はテープ幅用刃部軸３１によって案内されるので、テープ２１に対して垂直に設定されている。そのために、テープ幅を一定にして切断することができる。また、送り部材４２の接触部６４は、テープ２１に接触してテープ幅用刃部３０の刃先の突出量がテープ厚以上になるのを防止している。テープ厚以上になると多層に巻回したテープ２１の内層まで切断されてしまうからである。接触部６４は、送り部材４２と別物としてウレタンやスポンジ等の弾力性のある材質を使用するのが望ましい。また、送り部材４２を弾力性のある材質で製作しても良い。そのほかに、図示していないが送り部材４２に目盛を形成させて、基台にスケールを形成させる。そうすれば目盛に合わせてミリメートル単位でテープ幅を切断することができる。
【００３２】
押圧手段５０は、テープ幅用刃部３０とテープ２１を常に接触させることを目的としている。本発明はテープリール２０の両端に係合部５２が形成されており、基台１０の一部に係合部５３が形成されている。弾性部材５１の一端部が係合部５２に保持されて他端部が係合部５３に保持されることによって、テープ幅用刃部３０とテープ２１は常に接触されている。このため、係合部５３はテープ２１の中心とテープ幅用刃部３０とを結んだ直線上又はその延長線上に形成されるのが望ましい。本発明は弾性部材５１にゴムバンドを使用しているがスプリング等でも良い。
【００３３】
次に、図１〜６に示すようにテープカッタの使用方法を説明する。テープ２１をテープリール２０に保持させてから基台１０にテープリール２０を保持させる。
【００３４】
必要なテープ幅に設定するため、ハンドル４３を回動して送り部材４２をテープ幅に対して垂直に移動させる。その時、基台１０にスケールが形成されていれば必要なテープ幅をミリメートル単位で切断することができるので、送り部材４２の目盛を必要なテープ幅に設定する。
【００３５】
弾性部材５１の一端は係合部５２に保持されているので、他端部を係合部５３に保持することによって、テープ幅用刃部３０とテープ２１は常に接触されている（図１）。これにより、テープリール２０を回動することによってテープ２１の一部は必要なテープ幅に切断される。
【００３６】
テープ２１の一端は、人の指で基台１０の刃部１１方向へ引出し、必要なテープ長さを見極めて刃部１１によって切断される。
【００３７】
図６は、テープ幅を切断することなく既製品のテープ幅で使用したい時の状態である。弾性部材５１の一端は係合部５２に保持されており、他端部を係合部５４に保持させる。そのことによって、テープ幅用刃部３０はテープ２１に接触しないので、テープ幅は切断されることはない。
【００３８】
そのほか図示していないが、テープ幅用刃部３０をテープ２１の一端と基台１０の刃部１１の間に形成させても良い。
【００３９】
また、スライド手段４０はモーター等を使用して電子制御させてテープ幅の値をデジタル表示させても良い。
【００４０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００４１】
１０  基台
１１  刃部
２０  テープリール
２１  テープ
３０  テープ幅用刃部
３１  テープ幅用刃部軸
４０  スライド手段
４１  送り軸
４２  送り部材
４３  ハンドル
５０  押圧手段
５１  弾性部材
５２  係合部
５３  係合部
５４  係合部
【図１】
2015209280.tif 000003
【図２】
2015209280.tif 000004
【図３】
2015209280.tif 000005
【図４】
2015209280.tif 000006
【図５】
2015209280.tif 000007
【図６】
2015209280.tif 000008
【図７】
2015209280.tif 000009
【図８】
2015209280.tif 000010
【手続補正書】
【提出日】平成26年9月27日(2014.9.27)
【手続補正１】
【補正対象書類名】特許請求の範囲
【補正対象項目名】全文
【補正方法】変更
【補正の内容】
【特許請求の範囲】
【請求項１】
テープを保持し、自在に回動される支持軸が形成されているテープリールと、
前記テープリールの支持軸が保持されている保持部を有し、一端部がテープ長さを切断するための刃部が形成されている基台と、
前記テープの幅方向を切断させるためのテープ幅用刃部と、
前記テープ幅用刃部を前記テープの幅方向に移動させるためのスライド手段と、
前記テープ幅用刃部を前記テープの外周に接触させるための押圧手段と、
を備えるテープカッタであって、
前記スライド手段は、
両端が前記基台に保持されている送り軸と、
一端部が前記テープ幅用刃部を案内されるための案内部と、他端部が前記送り軸を摺動されるための穴部と、前記テープの外周に接触されるための接触部から形成されている送り部材と、
前記送り部材は、
前記接触部から前記テープ幅用刃部の一部は前記テープ一枚分の厚さ量突出されており、他の前記テープ幅用刃部は覆われている、
ことを特徴とするテープカッタ。
【請求項２】
前記送り軸と前記穴部は、ねじである、
ことを特徴とする請求項１に記載のテープカッタ。
【請求項３】
前記テープ幅用刃部は、円形刃である、
ことを特徴とする請求項１〜２のいずれか１項に記載のテープカッタ。
【請求項４】
前記押圧手段は、
弾性部材と、
前記弾性部材の一端を保持されるため、前記テープリールの支持軸の両端に形成されている係合部と、
前記弾性部材の他端を保持されるため、前記基台に形成された係合部と、
を備えることを特徴とする請求項１〜３のいずれか１項に記載のテープカッタ。

【請求項５】
前記弾性部材は、ゴムバンドである、
ことを特徴とする請求項４に記載のテープカッタ。
【手続補正２】
【補正対象書類名】明細書
【補正対象項目名】全文
【補正方法】変更
【補正の内容】
【発明の詳細な説明】
【技術分野】
【０００１】
本発明は、テープカッタに係わり、特にテープ幅を一定に分割して切断可能なテープカッタに関する。
【背景技術】
【０００２】
基台にテープリールを保持するなど多数の種類によるテープカッタが知られている。また、テープ長さを定寸にする、指定したテープ長さに切断するなどテープ長さに対するテープカッタの機能は多く存在する。ところで、使用者が規格品以外のテープ幅で使用したい時、最初に必要なテープ長さに切断した後にはさみ等を使用して必要なテープ幅に切断しているのが一般的である。このため、切断方法によって一定のテープ幅にならない、必要なテープ幅にするためケガキ線を引いてから切断する等の不具合が生じている。
【０００３】
従来、この種のテープカッタとして、テープ長さを一定の長さに切断するものとして、特許文献１に開示されたものがある。特許文献１は、テープを基台に保持されたテープリールにセットし、変形ローラを利用してテープ長さを一定の長さに切断することができるテープカッタである。
【０００４】
また、ベルトスリーブ幅を切断するものとして、特許文献２に開示されたものがある。特許文献２は、装置にベルトスリーブをセットして画像処理やモーター等を利用してベルトスリーブ幅を切断させることができる切断装置である。
【先行技術文献】
【特許文献】
【０００５】
【特許文献１】実開  平１−１７２５５３号公報
【特許文献２】特開  ２００７−９０４９５号公報
【発明の概要】
【発明が解決しようとする課題】
【０００６】
しかしながら、特許文献１はテープ長さを一定に切断するテープカッタであり、テープ幅を切断するテープカッタでないという問題がある。特許文献２は、テープではないベルトスリーブの幅を切断する装置であるが、装置が大型で撮像して画像処理したり、モーターによって制御したりするため操作等が煩雑であるという問題がある。
【０００７】
そこで、本発明は簡単にテープ幅を設定して切断するだけでなく、残されたテープも廃棄することなく利用することができるテープカッタを提供することを目的とする。
【課題を解決するための手段】
【０００８】
上記目的を達成するために、本発明に係るテープカッタは、テープを保持し自在に回動される支持軸が形成されているテープリールと、前記テープリールの支持軸が保持されている保持部を有し、一端部がテープ長さを切断するための刃部が形成されている基台と、前記テープの幅方向を切断させるためのテープ幅用刃部と、前記テープ幅用刃部を前記テープの幅方向に移動させるためのスライド手段と、前記テープ幅用刃部を前記テープの外周に接触させるための押圧手段と、を備えるテープカッタであって、前記スライド手段は、両端が前記基台に保持されている送り軸と、一端部が前記テープ幅用刃部を案内されるための案内部と、他端部が前記送り軸を摺動されるための穴部と、前記テープの外周に接触されるための接触部から形成されている送り部材と、前記送り部材は、前記接触部から前記テープ幅用刃部の一部は前記テープ一枚分の厚さ量突出されており、他の前記テープ幅用刃部は覆われている、ことを特徴とする。
【０００９】
これによって、テープ幅用刃部は常に一定の圧力でテープに押し付けられるので、安定して必要なテープ幅に設定し切断することができる。
【００１０】
ここで、前記送り軸と前記穴部は、ねじである、ことを特徴とする請求項１に記載のテープカッタ、とするのが好ましい。
【００１１】
これによって、テープ幅をミリメートル単位で設定することができる、という効果が発揮される。
【００１２】
前記テープ幅用刃部は、円形刃である、ことを特徴とする請求項１〜２のいずれか１項に記載のテープカッタ、としてもよい。
【００１３】
これによって、テープ幅用刃部は周回するため切断に対する抵抗が少なく、テープ幅に対して位置決めしやすい、という効果が発揮される。
【００１４】
前記押圧手段は、弾性部材と、前記弾性部材の一端を保持されるため、前記テープリールの支持軸の両端に形成されている係合部と、前記弾性部材の他端を保持されるため、前記基台に形成された係合部と、を備えることを特徴とする請求項１〜３のいずれか１項に記載のテープカッタ、とするのが好ましい。
【００１５】
これによって、テープ幅用刃部は容易に一定の圧力でテープに押し付けられるので、安定してテープ幅を切断することができる。
【００１６】
前記弾性部材は、ゴムバンドである、ことを特徴とする請求項４に記載のテープカッタ、とするのが好ましい。
【００１７】
これによって、安価で簡単な構造にすることができる。
【発明の効果】
【００１８】
以上の説明から明らかなように、本発明に係るテープカッタは、簡単にテープ幅を設定して切断するだけでなく、残されたテープも廃棄することなく利用することができる、という効果が得られる。
【図面の簡単な説明】
【００１９】
【図１】本発明の実施形態に係るテープカッタの斜視図
【図２】本発明の実施形態に係るテープカッタの正面図
【図３】本発明の実施形態に係るテープカッタの右側面図
【図４】本発明の実施形態に係るテープカッタの平面図
【図５】本発明の実施形態に係るテープカッタの右側断面図
【図６】本発明の実施形態に係るテープカッタの使用例を示す説明図
【図７】本発明の実施形態に係るテープカッタの送り軸の使用例を示す説明図
【図８】本発明の実施形態に係るテープカッタの送り部材の使用例を示す説明図
【発明を実施するための形態】
【００２０】
以下に、本発明の実施形態について、図面を参照しながら説明する。図１は本発明の実施形態に係るテープカッタの斜視図を示す。
【００２１】
テープカッタは、テープ幅を一定に分割して切断するものであって、テープ２１を保持し、自在に回動される支持軸が形成されているテープリール２０と、テープリール２０の支持軸が保持されている保持部を有し、一端部がテープ長さを切断するための刃部１１が形成されている基台１０と、テープ２１の幅方向を切断させるためのテープ幅用刃部３０と、テープ幅用刃部３０をテープ２１の幅方向に移動させるためのスライド手段４０と、テープ幅用刃部３０をテープ２１の外周に接触させるための押圧手段５０と、を備えるテープカッタであって、スライド手段４０は、両端が基台１０に保持されている送り軸４１と、一端部がテープ幅用刃部３０を案内されるための案内部６３と、他端部が送り軸４１を摺動されるための穴部６２と、テープ２１の外周に接触されるための接触部６４から形成されている送り部材４２と、送り部材４２は、接触部６４からテープ幅用刃部３０の一部はテープ２１一枚分の厚さ量突出されており、他のテープ幅用刃部３０は覆われていること、を備える。
【００２２】
基台１０は、テープカッタの基盤になるものであり、テープリール２０を保持するのが目的である。また、一端部に刃部１１を形成することによってテープ長さの切断を容易にすることができる。
【００２３】
形状はテープリール２０を保持することができる、テープ２０を手で採ることができる空間が形成されていることが望ましい。材質は剛性があり軽量であるプラスチックや樹脂等が適しているが、鉄鋼やアルミニウム、木材等でも良い。また、プラスチック等で透明な色を使用してデザイン等を重視しても良い。
【００２４】
テープリール２０は、テープ２１を保持して回動することによってテープが引き出されることを目的としている。形状はテープ２１の内輪に容易に付け外しできることが望ましい（図５参照）。材質は剛性があって軽量であることが望ましい。
【００２５】
テープ幅用刃部３０は、テープ幅を切断することを目的としている。テープ幅用刃部軸３１は、両端が基台１０に保持されており、テープ幅用刃部３０を回動できるように保持している。よって、本発明はテープ幅用刃部３０に円形刃を使用しているが標準的な片刃を使用しても良い。また、テープ幅用刃部軸３１を廃止して後述する送り部材４２に組み込んでも良い。
【００２６】
スライド手段４０はテープ幅用刃部３０をテープ幅に対して垂直に移動させて、必要なテープ幅を決めることを目的としている。本発明は送り軸４１におねじ６１が形成されており（図７参照）送り部材４２の穴部６２にめねじが形成されている（図８参照）。これによってハンドル４３を回動することによって、送り軸４１が回動して送り部材４２がテープ幅に対して垂直に移動する。したがって、スライド手段４０の機構はねじに限るものではない。
【００２７】
送り部材４２は、テープ幅用刃部３０を案内することを目的としている。送り部材４２の案内部６３はテープ幅用刃部軸３１によって案内されるので、テープ２１に対して垂直に設定されている。そのために、テープ幅を一定にして切断することができる。また、送り部材４２の接触部６４は、テープ２１に接触してテープ幅用刃部３０の刃先の突出量がテープ厚以上になるのを防止している（図５参照）。テープ厚以上になると多層に巻回したテープ２１の内層まで切断されてしまうからである。接触部６４は、送り部材４２と別物としてウレタンやスポンジ等の弾力性のある材質を使用するのが望ましい。また、送り部材４２を弾力性のある材質で製作しても良い。そのほかに、図示していないが送り部材４２に目盛を形成させて、基台にスケールを形成させる。そうすれば目盛に合わせてミリメートル単位でテープ幅を切断することができる。
【００２８】
押圧手段５０は、テープ幅用刃部３０とテープ２１を常に接触させることを目的としている。本発明はテープリール２０の両端に係合部５２が形成されており、基台１０の一部に係合部５３が形成されている。弾性部材５１の一端部が係合部５２に保持されて他端部が係合部５３に保持されることによって、テープ幅用刃部３０とテープ２１は常に接触されている。このため、係合部５３はテープ２１の中心とテープ幅用刃部３０とを結んだ直線上又はその延長線上に形成されるのが望ましい。本発明は弾性部材５１にゴムバンドを使用しているがスプリング等でも良い。
【００２９】
次に、図１〜６に示すようにテープカッタの使用方法を説明する。テープ２１をテープリール２０に保持させてから基台１０にテープリール２０を保持させる。
【００３０】
必要なテープ幅に設定するため、ハンドル４３を回動して送り部材４２をテープ幅に対して垂直に移動させる。その時、基台１０にスケールが形成されていれば必要なテープ幅をミリメートル単位で切断することができるので、送り部材４２の目盛を必要なテープ幅に設定する。
【００３１】
弾性部材５１の一端は係合部５２に保持されているので、他端部を係合部５３に保持することによって、テープ幅用刃部３０とテープ２１は常に接触されている（図１）。これにより、テープリール２０を回動することによってテープ２１の一部は必要なテープ幅に切断される。
【００３２】
テープ２１の一端は、人の指で基台１０の刃部１１方向へ引出し、必要なテープ長さを見極めて刃部１１によって切断される。
【００３３】
図６は、テープ幅を切断することなく既製品のテープ幅で使用したい時の状態である。弾性部材５１の一端は係合部５２に保持されており、他端部を係合部５４に保持させる。そのことによって、テープ幅用刃部３０はテープ２１に接触しないので、テープ幅は切断されることはない。
【００３４】
そのほか図示していないが、テープ幅用刃部３０をテープ２１の一端と基台１０の刃部１１の間に形成させても良い。
【００３５】
また、スライド手段４０はモーター等を使用して電子制御させてテープ幅の値をデジタル表示させても良い。
【００３６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００３７】
１０  基台
１１  刃部
２０  テープリール
２１  テープ
３０  テープ幅用刃部
３１  テープ幅用刃部軸
４０  スライド手段
４１  送り軸
４２  送り部材
４３  ハンドル
５０  押圧手段
５１  弾性部材
５２  係合部
５３  係合部
５４  係合部
６２  穴部
６３  案内部
６４  接触部